(57)【要約】【課題】圧縮機に保護装置のカバーや圧縮機駆動装置が直接取り付けられているが、駆動時の圧縮機の振動や騒音に対して、よりガタ付きが少なく、圧縮機の騒音や振動に起因して圧縮機に取り付けられた部品が連動して発生する振動や騒音を低減する必要がある。【解決手段】圧縮機２０５を制御する制御回路２０７が実装された基板と、前記基板を収納する収納ケース２１３とを備え、収納ケース２１３は圧縮機２０５の外郭に取り付けられ、収納ケース２１３は圧縮機のブラケット２３３に備えられた複数の保持部２３３ａによって保持されることで、ガタ付きなく確実に収納ケースを保持する圧縮機を提供することができる。【選択図】図１
2014196673.tif 000002
【特許請求の範囲】
【請求項１】
圧縮機を制御する制御回路が実装された基板と、前記基板を収納する収納ケースと、保護装置とを備え、前記収納ケースは前記圧縮機の外郭に取り付けられ、前記収納ケースは前記圧縮機のブラケットに備えられた複数の保持部によって保持されることを特徴とする圧縮機。
【請求項２】
前記保持部は前記圧縮機へ電力を供給する接続端子を挟んで両側に位置する前記ブラケットの側面保持部を有する請求項１に記載の圧縮機。
【請求項３】
前記側面保持部はそれぞれ高さの異なる複数の保持部として第１の保持部と第２の保持部を有することを特徴とする請求項２に記載の圧縮機。
【請求項４】
前記圧縮機は複数の回転数を駆動することが可能なインバーター圧縮機である請求項１から３のいずれか一項に記載の圧縮機。
【発明の詳細な説明】
【技術分野】
【０００１】
本発明は、冷蔵庫等の冷却システムに用いる圧縮機に関するものである。
【背景技術】
【０００２】
従来、冷蔵庫等の冷却システムには、圧縮機が搭載されており、特に複数の回転数で圧縮機を駆動するインバーター圧縮機においては、その駆動装置が別に必要である（例えば、特許文献１参照）。
【０００３】
以下、図面を参照しながら従来の圧縮機について説明する。
【０００４】
図５は、特許文献１に記載された従来の圧縮機を駆動する圧縮機用駆動装置の回路接続したブロック図、図６は、従来の過負荷保護装置の圧縮機への取り付けを示した分解斜示図である。
【０００５】
図５及び図６において、圧縮機駆動装置１００は、内部に整流回路１００ａ及び駆動回路１００ｂを持っている。
【０００６】
インバーター方式の圧縮機１０４は、外郭に金属板を曲げ加工したブラケット１０４ａが溶接されているほか、３本の接続端子１０４ｂがブラケット１０４ａの中央位置に設けられている。
【０００７】
圧縮機１０４の温度を検知する保護装置１０８は、ブラケット１０４ａに蜜着に取り付けされており、温度が所定の温度以上になると内部の接点が開放状態となり、交流電源１１２の圧縮機駆動装置１００への通電が遮断されるように接続されている。
【０００８】
クラスタターミナル１１６は、圧縮機駆動装置１００と接続端子１０４ｂを接続している。
【０００９】
カバー１２０は、保護装置１０８及びクラスタターミナル１１６を覆うようにブラケット１０４ａに取り付けられている。
【００１０】
この際、ブラケットの上部に係合部１０４ｃを有し、カバー１２０の上部と係合することで圧縮機に保持されている。
【００１１】
また、図７のように圧縮機に直接取り付けできるような圧縮機駆動装置１００を隣接して設置するものもあった。
【００１２】
このように圧縮機駆動装置１００を隣接する場合には、ブラケット１０４ａの上部側に係合部１０４ａが形成されており、圧縮機駆動装置１００を保持している。
【先行技術文献】
【特許文献】
【００１３】
【特許文献１】特開２００６−２２６２４８号公報
【発明の概要】
【発明が解決しようとする課題】
【００１４】
しかしながら、上記従来の構成では、圧縮機１０４に保護装置１０８のカバーや圧縮機
駆動装置１００が直接取り付けられているが、駆動時の圧縮機１０４の振動や騒音に対して、よりガタ付きが少なく、圧縮機の騒音や振動に起因して圧縮機に取り付けられた部品が連動して発生する振動や騒音を低減する必要があるという課題を有していた。
【００１５】
本発明は、上記従来の課題を解決するもので、信頼性の高い圧縮機を提供することを目的としている。
【課題を解決するための手段】
【００１６】
上記従来の課題を解決するために、本発明は、圧縮機を制御する制御回路が実装された基板と、基板を収納する収納ケースと、保護装置とを備え、収納ケースは圧縮機の外郭に取り付けられ、収納ケースは圧縮機のブラケットに備えられた複数の保持部によって保持されるものである。
【００１７】
これにより、圧縮機の騒音や振動に起因して圧縮機に取り付けられた部品が連動して発生する振動や騒音を低減することができ、ガタ付きなく確実に収納ケースを保持する圧縮機を提供することができる。
【発明の効果】
【００１８】
本発明は、信頼性の高い圧縮機を提供することができる。
【図面の簡単な説明】
【００１９】
【図１】本発明の第１の実施の形態における圧縮機用駆動装置の構成と圧縮機への取り付けを示す斜視図
【図２】同実施の形態１における同実施の形態１における圧縮機の斜視図
【図３】同実施の形態１における収納ケースの装着側を示す図
【図４】同実施の形態１における収納ケースの側面側を示す図
【図５】従来の圧縮機用駆動装置の回路接続したブロック図
【図６】従来の過負荷保護装置の圧縮機への取り付けを示した分解斜示図
【図７】従来の圧縮機用駆動装置を備えた圧縮機の斜視図
【発明を実施するための形態】
【００２０】
第１の発明は、圧縮機を制御する制御回路が実装された基板と、基板を収納する収納ケースと、保護装置とを備え、収納ケースは圧縮機の外郭に取り付けられ、収納ケースは圧縮機のブラケットに備えられた複数の保持部によって保持されるものである。
【００２１】
これにより、駆動時の圧縮機の振動や騒音に対して、よりガタ付きが少なく、圧縮機の騒音や振動に起因して圧縮機に取り付けられた部品が連動して発生する振動や騒音を低減することが可能となる。
【００２２】
第２の発明は、保持部は圧縮機へ電力を供給する接続端子を挟んで両側に位置するブラケットの側面保持部を有するものである。
【００２３】
これにより、圧縮機の内部に備えられているモータの回転方向に対応する左右方向に対してこの側面保持部は垂直方向に設置しているため、圧縮機の騒音や振動に起因して圧縮機用駆動装置に生じる振動を抑制し、ガタ付きが少なく保持できる。
【００２４】
第３の発明は、側面保持部はそれぞれ高さの異なる複数の保持部として第１の保持部と第２の保持部を有するものである。
【００２５】
これにより、圧縮機用駆動装置の奥行方向の振動を抑制し、ガタ付きが少なく保持でき
る。
【００２６】
第４の発明は、圧縮機は複数の回転数を駆動することが可能なインバーター圧縮機である。
【００２７】
これにより、圧縮機の内部に備えられているモータの回転方向に対応する左右方向の振動モードが複数変化した場合であっても、側面保持部は垂直方向に設置しているため圧縮機用駆動装置の左右方向の振動を抑制し、ガタ付きが少なく保持できる。
【００２８】
以下、本発明の実施の形態について、図面を参照しながら説明する。なお、この実施の形態によってこの発明が限定されるものではない。
【００２９】
（実施の形態１）
図１は、本発明の第１の実施の形態における圧縮機用駆動装置の構成と圧縮機に取り付けた状態を示す斜視図であり、図２は同実施の形態１における圧縮機の斜視図であり、図３は同実施の形態１における保護装置の断面図であり、図４は同実施の形態１における圧縮駆動装置の回路接続したブロック図である。
【００３０】
図１において、圧縮機用駆動装置２０１の基板２０３は、ガラス布・ガラス不織布エポキシ樹脂に銅箔パターンが表面に形成されており、複数の電子部品がはんだ付け実装されていることにより、圧縮機２０５を駆動し制御する制御回路２０７が形成され、接続用のコネクタ２０９およびコネクタ２１１も実装され、４箇所の角部には複数の基板取り付け穴２０３ａが設けられている。
【００３１】
収納ケース２１３は、変性ポリフェニレンエーテル樹脂等の樹脂により射出成形され、内部に基板２０３が収納できるように、基板２０３の大きさに対して若干大きい開口部２１５を有している。さらに、コネクタ２０９およびコネクタ２１１からのコードを引き出すための開口したコード引出部２１７が形成されており、コードの引き出し作業の後、カバー２１９を取り付けすることによって閉口されるようになっている。
【００３２】
収納ケース２１３の開口部２１５のそれぞれの角部には、取り付け穴である側面係合部２１３ｂが開けられているほか、プレス加工された蓋２２３（アルミ合金製のアルミ板等）の角部には孔２２３ａが開けられており、蓋２２３の固定用ネジ２２５にて蓋２２３を収納ケース２１３に固定して、開口部２１５を閉口できるようになっている。
【００３３】
収納ケースの側面側には、コード保持部２５０が形成されており、これらのコード保持部は圧縮機側に位置する第１コード保持部２５０ａとその外側に位置する第２コード保持部２５０ｂとが形成されている。
これらの第１コード保持部２５０ａと第２コード保持部２５０ｂは上下方向においても異なる高さに形成されており、コードが保持された第２コード保持部２５０ｂよりも上下方向において低い位置の第１コード保持部２５０ａに保持されることで、コードを斜め方向に確実に保持している。
【００３４】
密閉型の圧縮機２０５は、その外郭に接続端子２０５ａを有するほか、金属板を折り曲げ加工したブラケット２３３が溶接により取り付けられている。
【００３５】
また、ブラケット２３３には、収納ケース２１３が備えられる際に保持する保持部２３３ａを備えている。
【００３６】
本実施の形態では、保持部は圧縮機２０５へ電力を供給する接続端子２０５ａを挟んで
両側に位置する側面保持部２３３ｂを有している。
【００３７】
さらに、側面保持部２３３ｂはそれぞれ上部側に位置する第１の保持部２３３ｃと第２の保持部２３３ｄを備えている。
【００３８】
また、収納ケース２１３は基板２０３を取り付ける開口部２１５と反対側に、圧縮機２０５に直接取り付ける取り付け脚２３５を有しており、取り付け脚２３５を圧縮機２０５の外郭に溶接されたブラケット２３３に取り付けネジ２３７（図示せず）によって圧縮機２０５に取り付けられる。
【００３９】
この取り付けの際には、上部側に位置する保持部２３３ａはケース側の係合部２１３ａと係合し、側面保持部２３３ｂはそれぞれ側面係合部２１３ｂと係合し、側面保持部２３３ｂの第１の保持部２３３ｃと第２の保持部２３３ｄはそれぞれ第１の係合部２１３ｃ、第２の係合部２１３ｄと係合する。
【００４０】
ブラケット２３３内には、圧縮機用駆動装置２０１から接続線２５２でつながれた保護装置２３７と圧縮機２０５の電動機へ電力を供給するために接続端子２０５ａにクラスタターミナル２３９が取り付くようになっている。
【００４１】
クラスタターミナルは、圧縮機と電気的に接続する複数の電気配線の接続部を収納したコネクタ部分を指している。
【００４２】
本実施の形態では、複数の回転数で圧縮機を駆動するインバーター制御を行う制御基板２０３としている。
【００４３】
以上のように構成された圧縮機２０５において、以下動作について説明する。
【００４４】
圧縮機は、インバーター制御によって複数の回転数にて駆動され、例えば、２０ＨＺ，３５ＨＺ，４０ＨＺ，６０ＨＺ，８０ＨＺというように幅広い範囲の予め決められた複数の回転数によって運転される。
【００４５】
このように、複数の回転数によって圧縮機２０５が運転されることで、振動についても複数のパターンの振動が発生するが、本実施の形態では収納ケースを圧縮機の複数の保持部で保持したことにより、これらの振動による収納ケースの振動を抑えることができる。
【００４６】
より具体的には、保持部は圧縮機２０５へ電力を供給する接続端子２０５ａを挟んで両側に位置する側面保持部２３３ｂを有していることで、圧縮機２０５の圧縮機の内部に備えられているモータの回転方向に対応する左右方向に対してこの側面保持部２３３ｂは垂直方向に設置しているため圧縮機用駆動装置２０１の左右方向の振動を抑制し、ガタ付きが少なく保持できる。
さらに側面保持部２３３ｂにおいても、それぞれ高さの異なる複数の保持部として第１の保持部２３３ｃと第２の保持部２３３ｄを上下に備えていることで、圧縮機用駆動装置２０１の奥行方向の振動を抑制し、ガタ付きが少なく保持できる。
【００４７】
また、本願のように第１の保持部２３３ｃと第２の保持部２３３ｄが高さ方向に異なるだけでなく、奥行き方向（水平方向）においても異なる位置で保持するように形成されていることで、圧縮機用駆動装置２０１をブラケット２３３の上側からの挿入することが容易にできる。
【００４８】
このように、本実施の形態では、左右２点ずつに加え、上部１点の合計５点で収納ケー
ス２１３を圧縮機のブラケット２３３によって保持していることで複数の回転数から発生するパターンの振動を保持することができる。
【００４９】
また、収納ケースの側面側に形成されたコード保持部は、第１コード保持部２５０ａと第２保持部は上下方向においても異なる高さに形成されており、コードが保持された第２コード保持部２５０ｂよりも上下方向において低い位置の第１コード保持部２５０ａに保持されることで、コードを斜め方向に確実に保持しているので、確実にコードを保持することができる。
【００５０】
斜め方向に保持することでコードの引張りにおいて抵抗が発生し保持力の向上が可能となり、さらに基板２０３側の第２コード保持部２５０ｂが第１コード保持部２５０ａより上方に設置することでコードに沿って外部からの水等の侵入を防止できる。
【００５１】
また、上記のように第１コード保持部２５０ａと第２保持部の２箇所でコードを保持することで複数の回転数で駆動を行うことで振動のパターンが複数ある圧縮機であってもコードの位置ずれや抜けを防止し、より信頼性の高い圧縮機用駆動装置を備えた圧縮機を提供することができる。
【００５２】
また、保護装置２３７を前記圧縮機２０５と前記基板２０３との間に設けてコンパクト化することにより、圧縮機２０５全体の大きさが小さく作製でき、長寿命で信頼性の高い圧縮機用駆動装置を提供することができる。
【００５３】
また、圧縮機２０５に取り付けられているクラスタターミナル２３９の下方部以外の真横に保護装置２３７を設置したことにより、収納ケース２１３の下方部に水が溜まったとしても、クラスタターミナル２３９の下方部以外のところに、保護装置２３７を設置しているので、水などの影響を受けない信頼性の高い圧縮機用駆動装置を提供することができる。
【００５４】
また、保護装置２３７を上下方向がとなるように設置されているので、保護装置２３７を圧縮機２０５の内部に備えられているモータの回転方向に対応する圧縮機の左右方向に対して垂直方向に設置していることより、保護装置２３７にねじれの力が加わり、圧縮機２０５の回転の影響（遠心力）によって誤動作することなく、保護装置２３７の接点が外れ難い高信頼性の圧縮機用駆動装置を提供することができる。
【００５５】
また、保護装置２３７の形状が、矩形状で下方側から接続線が出るように配置されることにより、万が一保護装置２３７の上から水がかかったとしても、保護装置２３７の内部に水が進入しない信頼性の高い圧縮機用駆動装置２０１を提供することができる。
【００５６】
以上のように、本発明は、保護装置と圧縮機駆動装置を圧縮機に直接備えてコンパクト化することができ、さらにこれらを収納する収納ケースを確実に保持することにより、騒音と振動が小さく信頼性の高い圧縮機用駆動装置を提供することができる。
【産業上の利用可能性】
【００５７】
以上のように、本発明にかかる圧縮機用駆動装置は、信頼性の高い圧縮機用駆動装置を提供することができるので、冷蔵庫、空調調和機等の圧縮機用駆動装置に適用することができる。
【符号の説明】
【００５８】
２０１  圧縮機用駆動装置
２０３  基板
２０５  圧縮機
２０７  制御回路
２１３  収納ケース
２１３ａ  係合部
２１３ｂ  側面係合部
２１３ｃ  第１の係合部
２１３ｄ  第２の係合部
２３３  ブラケット
２３３ａ  保持部
２３３ｂ  側面保持部
２３３ｃ  第１の保持部
２３３ｄ  第２の保持部
２３７  保護装置
２３９  クラスタターミナル
２５２  接続線
【図１】
2014196673.tif 000003
【図２】
2014196673.tif 000004
【図３】
2014196673.tif 000005
【図４】
2014196673.tif 000006
【図５】
2014196673.tif 000007
【図６】
2014196673.tif 000008
【図７】
2014196673.tif 000009